(57)【要約】【課題】明るさの改善（向上）や駆動電圧の改善（低駆動電圧）が可能な液晶表示装置及び電子機器を提供する。【解決手段】液晶表示装置２は、液晶層ＬＣを挟持する第１及び第２基板ＡＲ，ＣＦと、第１基板ＡＲの液晶層ＬＣ側に形成されている第１電極１０と、第１電極１０より液晶層ＬＣ側に絶縁膜４２を介して形成され、第１電極１０と平面的に重なる領域に複数の線状部４８ａを有する第２電極４８と、を備えて複数のサブ画素領域を構成する液晶表示装置であって、第２基板ＣＦの液晶層ＬＣ側には、複数の線状部６０ａを有する第３電極６０が形成されており、第３電極６０の各線状部６０ａは、第２電極４８の各線状部４８ａと平面的に重なり合わずに、且つ、第２電極４８の各線状部４８ａと沿って形成された部分を有し、第２電極４８は、第３電極６０との間、及び第１電極１０との間でそれぞれ電界を生じさせる。【選択図】図３
2010096796.tif 000002
【特許請求の範囲】
【請求項１】
液晶層を挟持する第１及び第２基板と、
前記第１基板の前記液晶層側に形成されている第１電極と、
該第１電極より前記液晶層側に絶縁膜を介して形成され、前記第１電極と平面的に重なる領域に複数の線状部を有する第２電極と、
を備えて複数のサブ画素領域を構成する液晶表示装置であって、
前記第２基板の前記液晶層側には、複数の線状部を有する第３電極が形成されており、該第３電極の各線状部は、前記第２電極の各線状部と平面的に重なり合わずに、且つ、前記第２電極の各線状部と沿って形成された部分を有し、前記第２電極は、前記第３電極との間、及び前記第１電極との間でそれぞれ電界を生じさせることを特徴とする液晶表示装置。
【請求項２】
請求項１に記載の液晶表示装置において、
前記第３電極は、透明導電性材料で形成されていることを特徴とする液晶表示装置。
【請求項３】
請求項１又は２に記載の液晶表示装置において、
前記第３電極の電位は、前記第２電極の電位、前記第１電極の電圧と前記第２電極の電圧との間の中間電位、固定電位、或いは電位的にフローティング状態の少なくとも一つであることを特徴とする液晶表示装置。
【請求項４】
請求項１〜３のいずれか一項に記載の液晶表示装置において、
前記第３電極の各線状部は、前記第１基板に形成された走査線又は信号線に沿って長手方向を有していることを特徴とする液晶表示装置。
【請求項５】
請求項１〜４のいずれか一項に記載の液晶表示装置において、
前記第３電極の各線状部の間隔は、少なくとも１つの前記サブ画素領域内で異なっていることを特徴とする液晶表示装置。
【請求項６】
請求項１〜５のいずれか一項に記載の液晶表示装置を表示部に搭載したことを特徴とする電子機器。
【発明の詳細な説明】
【技術分野】
【０００１】
本発明は、液晶表示装置及び電子機器に関するものである。
【背景技術】
【０００２】
液晶表示装置としては、ＴＮ（Twisted Nematic）モード、ＶＡ（Vertical Alignment）モード、ＭＶＡ（Multi-domain Vertical Alignment）モード等の縦電界方式のものが多く使用されているが、一方の基板にのみ電極を備えた横電界方式の液晶表示装置も知られている、この横電界方式の液晶表示装置のうち、ＦＦＳモードの液晶表示装置の動作原理を図１０及び図１１を用いて説明する（例えば、特許文献１参照）。
【０００３】
図１０は、従来例のＦＦＳモードの液晶表示装置１９０のカラーフィルタ基板ＣＦを透視して表した１画素分の模式平面図である。図１１は、図１０のXI−XI'線に沿った断面図である。
【０００４】
このＦＦＳモードの液晶表示装置１９０は、アレイ基板ＡＲとカラーフィルタ基板ＣＦとを備えている。アレイ基板ＡＲは、第１透明基板１９２の表面にそれぞれ平行に複数の走査線１９４及びコモン配線１９６が設けられ、これら走査線１９４及びコモン配線１９６に交差する方向に複数の信号線１９８が設けられている。そして、走査線１９４及び信号線１９８で区画された領域のそれぞれを覆うようにコモン配線１９６に接続されたＩＴＯ（Indium Tin Oxide）やＩＺＯ（Indium Zinc Oxide）等からなる透明材料で形成された対向電極（「共通電極」ともいわれる）２００が設けられている。この対向電極２００の表面に絶縁膜２０２を介してストライプ状に複数のスリット２０４が形成されたＩＴＯ等の透明材料からなる画素電極２０６が設けられている。そして、この画素電極２０６及び複数のスリット２０４部の表面は配向膜２０８により被覆されている。
【０００５】
そして、走査線１９４と信号線１９８との交差位置の近傍にはスイッチング素子としてのＴＦＴが形成されている。このＴＦＴは、走査線１９４の表面に半導体層２１０が配置され、半導体層２１０の表面の一部を覆うように信号線１９８の一部が延在されてソース電極Ｓを構成し、半導体層２１０の下部の走査線部分がゲート電極Ｇを構成し、又、半導体層２１０の一部分と重なり合う導電性層がドレイン電極Ｄを構成しており、このドレイン電極Ｄは画素電極２０６に接続されている。
【０００６】
又、カラーフィルタ基板ＣＦは、第２透明基板２１２の表面にカラーフィルタ層２１４、オーバーコート層２１６、及び配向膜２１８が設けられた構成を有している。そして、アレイ基板ＡＲの画素電極２０６及び対向電極２００と、カラーフィルタ基板ＣＦのカラーフィルタ層２１４とが互いに対向するように、アレイ基板ＡＲ及びカラーフィルタ基板ＣＦを対向させる。次いで、アレイ基板ＡＲとカラーフィルタ基板ＣＦとの間に液晶ＬＣを封入すると共に、両基板のそれぞれ外側に偏光板２２０及び２２２を偏光方向が互いに直交する方向となるように配置することにより、ＦＦＳモードの液晶表示装置１９０が形成される。
【０００７】
このＦＦＳモードの液晶表示装置１９０は、画素電極２０６と対向電極２００との間に電界を生じさせると、図１１に示したように、この電界は画素電極２０６の両側で対向電極２００に向かう。そのため、スリット２０４に存在する液晶だけでなく画素電極２０６上に存在する液晶も動くことができる。
【０００８】
【特許文献１】特開２００１−５６４７６号公報
【発明の開示】
【発明が解決しようとする課題】
【０００９】
しかしながら、ＦＦＳモードの液晶表示装置１９０では、電界強度の強弱により電極間や電極上の液晶分子はツイストしにくく表示の明るさを落とす原因となっていた。
【課題を解決するための手段】
【００１０】
本発明は、上述の課題の少なくとも一部を解決するためになされたものであり、以下の形態又は適用例として実現することが可能である。
【００１１】
［適用例１］液晶層を挟持する第１及び第２基板と、前記第１基板の前記液晶層側に形成されている第１電極と、該第１電極より前記液晶層側に絶縁膜を介して形成され、前記第１電極と平面的に重なる領域に複数の線状部を有する第２電極と、を備えて複数のサブ画素領域を構成する液晶表示装置であって、前記第２基板の前記液晶層側には、複数の線状部を有する第３電極が形成されており、該第３電極の各線状部は、前記第２電極の各線状部と平面的に重なり合わずに、且つ、前記第２電極の各線状部と沿って形成された部分を有し、前記第２電極は、前記第３電極との間、及び前記第１電極との間でそれぞれ電界を生じさせることを特徴とする液晶表示装置。
【００１２】
これによれば、第１電極と第２電極の各線状部とは、絶縁膜を介して形成されており、ＦＦＳモードの液晶表示装置の画素電極及び対向電極に対応する。
【００１３】
そして、第２電極の各線状部は第３電極の各線状部と、平面的に重なり合わないように形成されており、しかも、第２電極と第３電極との間には、電界を生じさせる。そのため、第１電極と第２電極の各線状部との間の横電界に加え、第２電極の各線状部と第３電極の各線状部との間の電界により液晶分子を動かすことができ、駆動電圧を上げることなく明るく表示することが可能となる。結果、第１基板側の第２電極の各線状部間をあまり小さくすることなく透過率の改善が可能となる。又、電極構成（電極間幅や対向電極幅）や電極位置により駆動電圧を低くすることも可能となる。このように、明るさの改善（向上）や駆動電圧の改善（低駆動電圧）が可能な液晶表示装置を提供する。
【００１４】
［適用例２］上記液晶表示装置であって、前記第３電極は、透明導電性材料で形成されていることを特徴とする液晶表示装置。
【００１５】
これによれば、第３電極が透明導電性材料で形成されているため、特に第３電極によってバックライトからの光が遮光されることがなくなるので、明るい表示の液晶表示装置が得られる。又、第２電極は、従来のＦＦＳモードの液晶表示装置のように金属材料で形成をすることもができるが、輝度上昇という点から透明導電性材料にした方がよい。尚、透明導電性材料としては、ＩＴＯないしＩＺＯ等の周知のものを使用し得る。
【００１６】
［適用例３］上記液晶表示装置であって、前記第３電極の電位は、前記第２電極の電位、前記第１電極の電圧と前記第２電極の電圧との間の中間電位、固定電位、或いは電位的にフローティング状態の少なくとも一つであることを特徴とする液晶表示装置。
【００１７】
これによれば、第３電極の電位を規定の電位にすることで、第３電極の各線状部が液晶の配向を乱すことを防止することができる。
【００１８】
［適用例４］上記液晶表示装置であって、前記第３電極の各線状部は、前記第１基板に形成された走査線又は信号線に沿って長手方向を有していることを特徴とする液晶表示装置。
【００１９】
これによれば、スイッチング素子の近傍等においても有効に第３電極を形成することができるため、無駄なく開口率を大きくすることができるようになる。
［適用例５］上記液晶表示装置であって、前記第３電極の各線状部の間隔は、少なくとも１つの前記サブ画素領域内で異なっていることを特徴とする液晶表示装置。
【００２０】
これによれば、第１及び第２基板を組立てる際の組ズレに対する許容度が大きくなるので、組ズレによる透過率の低下を低減することができる。
【００２１】
［適用例６］上記のいずれか一項に記載の液晶表示装置を表示部に搭載したことを特徴とする電子機器。
【００２２】
これによれば、上記液晶表示装置を表示部に備えることにより、該表示部において高品位な表示を行うことができる。
【発明を実施するための最良の形態】
【００２３】
以下、図面を参照し、液晶表示装置の実施形態について説明する。尚、各実施形態で参照する図面においては、各層や各部材を図面上で認識可能な程度の大きさとするため、各層や各部材毎に縮尺を異ならせて表示している。
【００２４】
（第１の実施形態）
図１は、本実施形態に係る液晶表示装置２を構成するマトリクス状に形成された複数のサブ画素領域の回路構成図である。
【００２５】
本実施形態に係る液晶表示装置２の画像表示領域には、複数のサブ画素領域がマトリクス状に配置されている。各サブ画素領域には、第１電極１０と、その第１電極１０をスイッチング制御するためのＴＦＴ１２とが形成されている。そのＴＦＴ１２のソースには、信号線駆動回路１４から延びる信号線１６が電気的に接続されている。信号線駆動回路１４は、信号線１６を介して画像信号Ｓ１、Ｓ２、‥、Ｓｎを各画素に供給する。画像信号Ｓ１〜Ｓｎは、この順に線順次に供給してもよいし、相隣接する複数の信号線１６同士に対して、グループ毎に供給してもよい。
【００２６】
又、ＴＦＴ１２のゲートには、走査線駆動回路１８から延びる走査線２０が電気的に接続されている。走査線駆動回路１８は、走査線２０に対して所定のタイミングでパルス的に走査信号Ｇ１、Ｇ２、‥、Ｇｍを供給する。走査信号Ｇ１〜Ｇｍは、この順に線順次でＴＦＴ１２のゲートに印加されるようになっている。一方、ＴＦＴ１２のドレインには第１電極１０が電気的に接続されている。そして、走査信号Ｇ１、Ｇ２、‥、Ｇｍの入力によりスイッチング素子であるＴＦＴ１２が一定期間だけオン状態とされることで、信号線１６から供給される画像信号Ｓ１、Ｓ２、‥、Ｓｎが、所定のタイミングで第１電極１０に書き込まれるようになっている。
【００２７】
第１電極１０を介して液晶に書き込まれた所定レベルの画像信号Ｓ１、Ｓ２、‥、Ｓｎは、第１電極１０と共通電極との間に形成される液晶容量で一定期間保持される。ここで、保持された画像信号がリークするのを防ぐため、液晶容量と並列に蓄積容量２２が形成されている。この蓄積容量２２は、ＴＦＴ１２のドレインと容量線２４との間に設けられている。
【００２８】
次に、液晶表示装置２の平面及び断面構成につき、図２〜図４を用いて説明する。
図２は、本実施形態に係る液晶表示装置２のカラーフィルタ基板ＣＦを透視して表した任意の１サブ画素の平面図である。図３は、図２のIII−III'線に沿う部分断面構成図であり、図４は、図２のIV−IV'線に沿う部分断面構成図である。
【００２９】
本実施形態に係る液晶表示装置２のサブ画素領域には、当該サブ画素領域と略同一の平面形状を有するカラーフィルタ層２６が設けられている。又、サブ画素領域の図示右下の角部には、アレイ基板ＡＲとカラーフィルタ基板ＣＦとを所定間隔で離間させて液晶層厚（セルギャップ）を一定に保持するための柱状スペーサ２８が立設されている。
【００３０】
液晶表示装置２は、アレイ基板（第１基板）ＡＲと、カラーフィルタ基板（第２基板）ＣＦとを備えている。アレイ基板ＡＲには、ガラス基板等の第１透明基板３０の表示領域の表面に、マトリクス状に複数の走査線２０及び信号線１６が互いにゲート絶縁膜３２で絶縁された状態で交差するように形成されており、更に、表示領域の周縁部にコモン配線３４が形成されている。これらの走査線２０及び信号線１６で囲まれたそれぞれの領域が各画素（「サブ画素」ともいう）を形成する。又、第１透明基板３０には、画素毎にスイッチング素子として例えばＴＦＴ１２が形成されている。このＴＦＴ１２は、走査線２０の表面に半導体層３６が配置され、半導体層３６の表面の一部を覆うように信号線１６の一部が延在されてソース電極Ｓを構成し、半導体層３６の下部の走査線部分がゲート電極Ｇを構成し、又、半導体層３６の一部分と重なり合う導電性層がドレイン電極Ｄを構成しており、このドレイン電極Ｄは第１電極１０に接続されている。このＴＦＴ１２を含む第１透明基板３０の表面全体に亘って例えば窒化ケイ素層ないし酸化ケイ素層からなるパッシベーション膜３８で被覆されている。
【００３１】
そして、パッシベーション膜３８の表面には、有機材料からなる平坦化膜４０が形成されており、平坦化膜４０の表面には、第１電極１０が形成されている。第１電極１０は、平面視において矩形状で、Ｙ軸方向（信号線１６／信号を供給する配線の延在方向）に長手方向を有している。この第１電極１０及び平坦化膜４０の表面には、第１透明基板３０の表面全体に亘って窒化ケイ素層ないし酸化ケイ素層からなる絶縁膜４２が形成されている。この絶縁膜４２、平坦化膜４０、及びパッシベーション膜３８には、ＴＦＴ１２のドレイン電極Ｄに対応する位置に第１コンタクトホール４４が形成されている。そして、絶縁膜４２の表面には、それぞれの画素に信号線１６に沿って延びた線状部４８ａを有する第２電極４８が形成されている。第２電極４８は、線状部４８ａを複数有し、Ｙ軸方向に長手方向を有している。第１電極１０及び第２電極４８は、開口率を大きくして明るい表示ができるようにするために、ＩＴＯないしＩＺＯ等の透明導電性材料で形成することが好ましいが、アルミニウム等の金属材料で形成することもできる。
【００３２】
そして、第１電極１０は、第１コンタクトホール４４を経てＴＦＴ１２のドレイン電極Ｄに電気的に接続され、第２電極４８は、絶縁膜４２に形成された第２コンタクトホール５０を経てコモン配線３４に電気的に接続されている。従って、液晶表示装置２では、第１電極１０は対向電極として機能し、第２電極４８は画素電極として機能する。
【００３３】
そのため、絶縁膜４２を介して重なり合う第１電極１０と第２電極４８の各線状部４８ａとからなる対は、ＦＦＳモードの液晶表示装置の配置関係になる。尚、第１電極１０及び第２電極４８のうちどちらを画素電極となるようにするかは任意である。しかしながら、絶縁膜４２を介して重なり合う電極対は、互いに画素電極と対向電極との対となるようにする必要がある。
【００３４】
そして、第２電極４８の表面を含み表示領域全体に亘って、第１配向膜５２が形成されている。
【００３５】
又、カラーフィルタ基板ＣＦは、ガラス基板等の第２透明基板５４の表面に、アレイ基板ＡＲの走査線２０、信号線１６、第１コンタクトホール４４、第２コンタクトホール５０、及びＴＦＴ１２に対応する位置を被覆するように遮光膜５６が形成されている。更に、遮光膜５６で囲まれた第２透明基板５４の表面には、所定の色のカラーフィルタ層２６が形成されている。又、遮光膜５６及びカラーフィルタ層２６の表面を被覆するようにオーバーコート層５８が形成されている。
【００３６】
そして、オーバーコート層５８上のそれぞれの画素に、ＩＴＯ膜からなるパターニングされた第３電極６０が形成されている。このような構成とすると、オーバーコート層５８の表面に形成される第３電極６０は、例えばカラーフィルタ層２６等の存在による凹凸が均されて平らになるため、セルギャップが均一化される。そのため、係る態様の液晶表示装置２によれば、表示画質が良好な液晶表示装置が得られる。第３電極６０は、線状部６０ａを複数有し、Ｙ軸方向に長手方向を有している。第３電極６０の各線状部６０ａは、平面視において第２電極４８の各線状部４８ａと重なり合わないように配置されている。第３電極６０の各線状部６０ａは、平面視において第２電極４８の各線状部４８ａの間に位置している。第３電極６０は、第２電極４８の各線状部４８ａと平面的に重なり合うようにスリットが設けられている。このような構成とすると、ＴＦＴ１２の近傍等においても有効に第３電極６０を形成することができるため、無駄なく開口率を大きくすることができるようになる。第３電極６０は、複数のサブ画素領域を横断して形成されている。
【００３７】
第３電極６０の電位は、第１電極１０と同一の電位、第１電極１０と第２電極４８との中間の電位、固定の電位、フローティング状態等の少なくともひとつが与えられる。このような構成とすると、第３電極６０の電位を規定の電位にすることで、第３電極６０の各線状部６０ａが液晶ＬＣの配向を乱すことを防止することができる。又、第３電極６０にパルス状の電位を与えてもよい。このような構成とすると、高速応答化を図ることができる。
【００３８】
かかる第３電極６０は、電位的にフローティング状態とされる場合の他、所定の電位が印加される場合もある。第３電極６０に所定の電位を印加するにあたっては、カラーフィルタ基板ＣＦの液晶ＬＣ側に形成した第３電極６０と、アレイ基板ＡＲに形成した配線（図示略）とを電気的に接続する。これに対して、第３電極６０がフローティング状態とされる場合、かかる基板間の導通を省略する。尚、この第３電極６０は、開口率を大きくして明るい表示ができるようにするためにはＩＴＯないしＩＺＯ等の透明導電性材料で形成することが好ましいが、アルミニウム等の金属材料で形成することもできる。
【００３９】
そして、オーバーコート層５８及び第３電極６０の表面には第２配向膜６４が形成されている。
【００４０】
そして、アレイ基板ＡＲの第２電極４８の各線状部４８ａとカラーフィルタ基板ＣＦの第３電極６０の各線状部６０ａとが重なり合わないように、アレイ基板ＡＲとカラーフィルタ基板ＣＦとが対向され、その間に液晶ＬＣが封入されている。尚、液晶ＬＣの材料としては、誘電率異方性が負の液晶材料、正の液晶材料のいずれを用いてもよいが、誘電率異方性が負の液晶材料を用いる方が好ましい。誘電率異方性が負の液晶材料を用いた場合、選択電圧印加（電圧オン）時の視角を広げ、表示装置の持つ表示特性を損なわないようにすることができるからである。又、液晶の誘電率異方性が負の液晶を用いることで組ズレによる縦電界の影響を小さくすることができ、組ズレに対する許容度を改善することができる。
【００４１】
そして、アレイ基板ＡＲの外側に第１偏光板６６及びバックライト装置（図示省略）が配置され、カラーフィルタ基板ＣＦの外側に第２偏光板６８が配置されて液晶表示装置２が完成される。尚、各基板ＡＲ，ＣＦと偏光板６６，６８との間に、必要に応じて位相差板を配置してもよい。
【００４２】
次に、液晶表示装置２の動作について説明する。
液晶表示装置２は、第１電極１０及び第３電極６０が対向電極として機能し、第２電極４８が画素電極として作動する。そして、第２電極４８の各線状部４８ａと第３電極６０の各線状部６０ａとが平面視で第１配向膜５２、液晶ＬＣ、及び第２配向膜６４を介して重なり合っていない。そのため、液晶表示装置２が作動状態とされると、図３に示したように、第１電極１０と第２電極４８の各線状部４８ａとの間には電界Ｅ１が、第２電極４８の各線状部４８ａと第３電極６０の各線状部６０ａとの間には電界Ｅ２が印加される。
【００４３】
第２電極４８の各線状部４８ａと第３電極６０の各線状部６０ａとの間に印加された電界Ｅ２により液晶分子を動かすことができる。又、第１電極１０と第２電極４８の各線状部４８ａとの間に印加された電界Ｅ１による動作は、図１０及び図１１に示した従来例のＦＦＳモードの液晶表示装置１９０の場合と同様である。従って、液晶表示装置２は、第１電極１０と第２電極４８の各線状部４８ａとの間でＦＦＳモードの液晶表示装置として作動することになる。
【００４４】
（透過率−駆動電圧特性の比較）
図５は、本実施形態に係る液晶表示装置２と従来のＦＦＳ構造の液晶表示装置との透過率Ｔ−駆動電圧Ｖ特性のグラフである。尚、グラフＬ１は液晶表示装置２の透過率Ｔ−駆動電圧Ｖ特性であり、グラフＬ２は従来のＦＦＳモードの液晶表示装置の透過率Ｔ−駆動電圧Ｖ特性である。
【００４５】
この透過率Ｔ−駆動電圧Ｖ特性のグラフＬ１、Ｌ２を比較すると、選択電圧Ｖｓの印加時における光透過率は、従来のＦＦＳモードの液晶表示装置に比べ、液晶表示装置２の方が高くなっている。
【００４６】
本実施形態によれば、第１電極１０と第２電極４８の各線状部４８ａとの間の横電界Ｅ１に加え、第２電極４８の各線状部４８ａと第３電極６０の各線状部６０ａとの間の電界Ｅ２により液晶分子を動かすことができ、駆動電圧を上げることなく明るく表示することが可能となる。結果、アレイ基板ＡＲ側の第２電極４８の各線状部４８ａ間をあまり小さくすることなく透過率の改善が可能となる。又、電極構成（電極間幅や対向電極幅）や電極位置により駆動電圧を低くすることも可能となる。このように、明るさの改善（向上）や駆動電圧の改善（低駆動電圧）が可能な液晶表示装置２を提供する。
【００４７】
（第２の実施形態）
次に、第２の実施形態に係る液晶表示装置４を、図６を用いて説明する。
図６は、本実施形態に係る液晶表示装置４のカラーフィルタ基板ＣＦを透視して表した任意の１サブ画素の平面図である。尚、図６においては、図２に示した第１の実施形態の液晶表示装置２と同一の構成部分には同一の参照符号を付与してその詳細な説明は省略する。又、図６における図２のIII−III'線及びIV−IV'線に対応する部分の断面図は、それぞれ図３及び図４と同様であるので、図示及びその詳細な説明は省略した。
【００４８】
本実施形態に係る液晶表示装置４が第１の実施形態の液晶表示装置２と構成が相違する点は、第１の実施形態の液晶表示装置２では、第２電極４８の各線状部４８ａがそれぞれ信号線１６に沿ってまっすぐ伸びているが、本実施形態の液晶表示装置４では、第２電極４８の各線状部４８ａの中央が屈曲されるように形成されている点である。又、平面視において第２電極４８の各線状部４８ａと重なり合わないように配置される第３電極６０の各線状部６０ａも中央を屈曲されるように形成した点である。
【００４９】
液晶表示装置４では、第２電極４８の各線状部４８ａ及び第３電極６０の各線状部６０ａが画素の中央を境にして、「くの字状」に配置される、いわゆるデュアルドメイン化されたものであり、液晶分子の回転方向は、画素の中央を境にして、紙面手前側からみて上半分の領域における液晶分子の回転方向と、紙面手前側からみて下半分の領域における液晶分子の回転方向とは、互いに逆向きとなる。
【００５０】
本実施形態によれば、デュアルドメイン化された電極構造を設けることにより、視野角によって黄色味や青色味を呈する等といったカラーシフトを抑制することが可能になる。
【００５１】
（第３の実施形態）
次に、第３の実施形態に係る液晶表示装置６を、図７及び図８を用いて説明する。
図７は、本実施形態に係る液晶表示装置４の断面図であり、図８は、本実施形態に係る第３電極６０の各線状部６０ａの説明図である。尚、図７においては、図３に示した第１の実施形態の液晶表示装置２と同一の構成部分には同一の参照符号を付与してその詳細な説明は省略する。
【００５２】
本実施形態に係る液晶表示装置６が第１の実施形態の液晶表示装置２と構成が相違する点は、第１の実施形態の液晶表示装置２では、第３電極６０の各線状部６０ａが第２電極４８の各線状部４８ａと平面的に重なり合わないように形成されているが、本実施形態の液晶表示装置６では、それに加えて第３電極６０の各線状部６０ａの間隔が１画素内で異なるように形成されている点である。
【００５３】
液晶表示装置６では、第３電極６０の各線状部６０ａの間隔が少なくとも１画素内で異なっている。１画素内で第３電極６０の各線状部６０ａの間隔を任意にずらしてもよい。例えば、図７に示すように、第３電極６０の各線状部６０ａの間隔Ｓ１と間隔Ｓ２との関係は、間隔Ｓ１＞間隔Ｓ２である。詳細には、図８に示すように、同間隔Ｓ３で配置されている架空各線状部６０ｂと比べて、紙面手前側からみて中央の線状部６０ａを基準に左側の線状部６０ａは、間隔Ｓ１＞間隔Ｓ３の関係であり、右側の線状部６０ａは、間隔Ｓ２＞間隔Ｓ３の関係である。
【００５４】
本実施形態によれば、アレイ基板ＡＲとカラーフィルタ基板ＣＦとを組立てる際の組ズレに対する許容度が大きくなるので、組ズレによる透過率の低下を低減することができる。尚、第３電極６０の各線状部６０ａにおいて、組ズレの影響を最小限にするため、組ズレにより電位を与える電極を選択してもよい。
【００５５】
（電子機器）
次に、上記した液晶表示装置を備える電子機器について説明する。
図９は、本実施形態に係る液晶表示装置を表示部に搭載した電子機器の一例である携帯電話１００の斜視図である。
【００５６】
本実施形態に係る携帯電話１００は、上記実施形態の液晶表示装置を小サイズの表示部１０２として備え、複数の操作ボタン１０４、受話口１０６、及び送話口１０８を備えて構成されている。携帯電話１００は、前述した実施形態の液晶表示装置を備えているので、表示品質に優れた電子機器を提供することができる。
【００５７】
尚、上記実施形態の液晶表示装置は、上記携帯電話に限らず、電子ブック、パーソナルコンピュータ、デジタルスチルカメラ、液晶テレビ、ビューファインダ型或いはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々の画像表示手段として好適に用いることができ、いずれの電子機器においても、表示品質に優れた電子機器が提供できる。
【００５８】
以上、実施形態について説明したが、変形例としては、例えば以下のようなものが考えられる。
【００５９】
（変形例１）
上記実施形態の液晶表示装置は、第３電極６０の各線状部６０ａが信号線１６に沿って長手方向を有する例を示したが、走査線２０に沿って長手方向を有するとしても同様の作用効果を奏する。
【００６０】
（変形例２）
上記実施形態の液晶表示装置は、通常カラーフィルタ基板側に用いられるシールド電極がない例を示したが、カラーフィルタ基板側にシールド電極を有してもよい。例えば、通常横電界方式の液晶表示装置ではカラーフィルタ基板側に導電体がないために静電対策としてシールド用電極を設ける必要があるが、本実施形態ではカラーフィルタ基板ＣＦの液晶ＬＣ側に電極を設けるためシールド電極が不要となる。カラーフィルタ基板ＣＦに静電気による帯電が起こりにくくするためのシールド電極が形成されていない場合でも、パターニングされた第３電極６０の各線状部６０ａが形成されているため、カラーフィルタ基板ＣＦは、静電気による帯電が起こりにくく、たとえ帯電しても液晶の配向を乱さない。又、パターニングされた第３電極６０の各線状部６０ａは、カラーフィルタ基板ＣＦの液晶ＬＣ側に形成されているため、液晶パネルを組立てる前の基板の状態でパターニングされた電極を形成することができる。
【００６１】
（変形例３）
上記実施形態の液晶表示装置は、透過型の液晶表示装置であるが、これに限定する趣旨ではなく、例えば反射型又は半透過反射型の液晶表示装置としてもよい。
【図面の簡単な説明】
【００６２】
【図１】第１の実施形態に係る液晶表示装置を構成するマトリクス状に形成された複数のサブ画素領域の回路構成図。
【図２】第１の実施形態に係る液晶表示装置のカラーフィルタ基板を透視して表した任意の１サブ画素の平面図。
【図３】図２のIII−III'線に沿う部分断面構成図。
【図４】図２のIV−IV'線に沿う部分断面構成図。
【図５】第１の実施形態に係る液晶表示装置と従来のＦＦＳ構造とのＴ−Ｖ特性のグラフ。
【図６】第２の実施形態に係る液晶表示装置のカラーフィルタ基板を透視して表した任意の１サブ画素の平面図。
【図７】第３の実施形態に係る液晶表示装置の断面図。
【図８】第３の実施形態に係る第３電極の各線状部の説明図。
【図９】本実施形態に係る液晶表示装置を表示部に搭載した電子機器の一例である携帯電話の斜視図。
【図１０】従来例のＦＦＳモードの液晶表示装置のカラーフィルタ基板を透視して表した１画素分の模式平面図。
【図１１】図１０のXI−XI'線に沿った断面図。
【符号の説明】
【００６３】
２，４，６…液晶表示装置  １０…第１電極  １２…ＴＦＴ  １４…信号線駆動回路  １６…信号線  １８…走査線駆動回路  ２０…走査線  ２２…蓄積容量  ２４…容量線  ２６…カラーフィルタ層  ２８…柱状スペーサ  ３０…第１透明基板  ３２…ゲート絶縁膜  ３４…コモン配線  ３６…半導体層  ３８…パッシベーション膜  ４０…平坦化膜  ４２…絶縁膜  ４４…第１コンタクトホール  ４８…第２電極  ４８ａ…線状部  ５０…第２コンタクトホール  ５２…第１配向膜  ５４…第２透明基板  ５６…遮光膜  ５８…オーバーコート層  ６０…第３電極  ６０ａ…線状部  ６４…第２配向膜  ６６…第１偏光板  ６８…第２偏光板  １００…携帯電話  １０２…表示部  １０４…操作ボタン  １０６…受話口  １０８…送話口。
【図１】
2010096796.tif 000003
【図２】
2010096796.tif 000004
【図３】
2010096796.tif 000005
【図４】
2010096796.tif 000006
【図５】
2010096796.tif 000007
【図６】
2010096796.tif 000008
【図７】
2010096796.tif 000009
【図８】
2010096796.tif 000010
【図９】
2010096796.tif 000011
【図１０】
2010096796.tif 000012
【図１１】
2010096796.tif 000013